【手続補正書】
【提出日】令和1年10月8日(2019.10.8)
【手続補正１】
【補正対象書類名】特許請求の範囲
【補正対象項目名】全文
【補正方法】変更
【補正の内容】
【特許請求の範囲】
【請求項１】
車両が走行する道路の所定の工事区間に設置され、該工事区間を通行する車両の通行権に係る情報を呈示する工事用信号機と、前記工事区間における交通誘導を行う複数の交通誘導員がそれぞれ所持する複数の操作端末とを通信可能に接続した交通誘導システムであって、
前記複数の操作端末は、
前記工事用信号機の信号状態を所定の表示部に表示制御する信号状態表示制御手段と、
前記工事区間の周辺における渋滞状況を前記表示部に表示制御する渋滞状況表示制御手段と
を備えたことを特徴とする交通誘導システム。
【請求項２】
前記複数の操作端末は、
所定の渋滞情報設定操作を受け付けた場合に、前記工事区間における車両及び歩行者を含む移動体に関する渋滞情報を設定する渋滞情報設定手段と、
前記渋滞情報設定手段により設定された渋滞情報を他の操作端末に通知する渋滞情報通知手段と
を備えたことを特徴とする請求項１に記載の交通誘導システム。
【請求項３】
前記複数の操作端末のうちの主操作端末は、
所定の信号機情報設定操作を受け付けた場合に、前記工事用信号機の信号表示に関する信号機情報を設定する信号機情報設定手段と、
前記信号機情報設定手段により設定された信号機情報を前記工事用信号機及び他の操作端末に対して通知する設定情報通知手段と
をさらに備えたことを特徴とする請求項１又は２に記載の交通誘導システム。
【請求項４】
前記主操作端末は、
所定の代行依頼操作を受け付けた場合に、他の操作端末のいずれかを代行操作端末として特定する特定手段と、
前記特定手段により特定された代行操作端末に対して代行依頼を通知する代行依頼通知手段とをさらに備え、
前記代行操作端末は、
前記主操作端末に代わって前記工事用信号機を代行処理する代行処理手段をさらに備えた
ことを特徴とする請求項３に記載の交通誘導システム。
【請求項５】
前記特定手段は、各操作端末の位置情報に基づいて、他の操作端末のうちの前記工事区間の近くに位置する他の操作端末を前記代行操作端末として特定することを特徴とする請求項４に記載の交通誘導システム。
【請求項６】
前記主操作端末は、
所定の復帰操作を受け付けた場合に、前記代行操作端末に対して代行終了指示を通知する代行終了指示通知手段をさらに備え、
前記代行操作端末は、
前記主操作端末から前記代行終了指示を通知された場合に、前記代行処理手段による代行処理を終了するよう制御する
ことを特徴とする請求項４又は５に記載の交通誘導システム。
【請求項７】
前記主操作端末は、
所定の代行依頼操作を受け付けた場合に、前記工事用信号機及び前記複数の操作端末と通信可能に接続された管理装置に対して代行依頼を通知する代行依頼通知手段をさらに備え、
前記管理装置は、
前記主操作端末に代わって前記工事用信号機を代行処理する代行処理手段を備えた
ことを特徴とする請求項３に記載の交通誘導システム。
【請求項８】
前記主操作端末は、
所定の復帰操作を受け付けた場合に、前記管理装置に対して代行終了指示を通知する代行終了指示通知手段をさらに備え、
前記管理装置は、
前記主操作端末から前記代行終了指示を通知された場合に、前記代行処理手段による代行処理を終了するよう制御する
ことを特徴とする請求項７に記載の交通誘導システム。
【請求項９】
前記他の操作端末は、
所定の信号機情報一時設定操作を受け付けた場合に、前記主操作端末による一時設定の許可を受けたことを条件として、前記工事用信号機の信号表示に関する信号機情報を設定する信号機情報設定手段と、
前記信号機情報設定手段により設定された信号機情報を前記工事用信号機及び他の操作端末に対して通知する設定情報通知手段と
をさらに備えたことを特徴とする請求項３に記載の交通誘導システム。
【請求項１０】
車両が走行する道路の所定の工事区間に設置され、該工事区間を通行する車両の通行権に係る情報を呈示する工事用信号機及び他の操作端末と通信可能に接続され、前記工事区間における交通誘導を行う交通誘導員が所持する操作端末であって、
前記工事用信号機の信号状態を所定の表示部に表示制御する信号状態表示制御手段と、
前記工事区間の周辺における渋滞状況を前記表示部に表示制御する渋滞状況表示制御手段と
を備えたことを特徴とする操作端末。
【請求項１１】
所定の渋滞情報設定操作を受け付けた場合に、前記工事区間における車両及び歩行者を含む移動体に関する渋滞情報を設定する渋滞情報設定手段と、
前記渋滞情報設定手段により設定された渋滞情報を他の操作端末に通知する渋滞情報通知手段と
を備えたことを特徴とする請求項１０に記載の操作端末。
【請求項１２】
車両が走行する道路の所定の工事区間に設置され、該工事区間を通行する車両の通行権に係る情報を呈示する工事用信号機と、前記工事区間における交通誘導を行う複数の交通誘導員がそれぞれ所持する複数の操作端末とを通信可能に接続した交通誘導システムにおける交通誘導方法であって、
前記複数の操作端末が、前記工事用信号機の信号状態を所定の表示部に表示制御する信号状態表示制御工程と、
前記工事区間の周辺における渋滞状況を前記表示部に表示制御する渋滞状況表示制御工程と
を含んだことを特徴とする交通誘導方法。
【請求項１３】
所定の渋滞情報設定操作を受け付けた場合に、前記工事区間における車両及び歩行者を含む移動体に関する渋滞情報を設定する渋滞情報設定工程と、
前記渋滞情報設定工程により設定された渋滞情報を他の操作端末に通知する渋滞情報通知工程と
を含んだことを特徴とする請求項１２に記載の交通誘導方法。
【請求項１４】
車両が走行する道路の所定の工事区間に設置され、該工事区間を通行する車両の通行権にかかる情報を呈示する工事用信号機と、前記工事区間における交通誘導を行う交通誘導員が所持する操作端末と、管理装置とを通信可能に接続した交通誘導システムであって、
前記操作端末は、
所定の信号機情報設定操作を受け付けた場合に、前記工事用信号機の信号表示に関する信号機情報を設定する信号機情報設定手段と、
前記信号機情報設定手段により設定された信号機情報を前記工事用信号機に対して通知する設定情報通知手段と、
所定の代行依頼操作を受け付けた場合に前記管理装置に対して代行依頼を通知する代行依頼通知手段と
を備え、
前記管理装置は、
前記操作端末から代行依頼が通知されると、前記操作端末に代わって前記工事用信号機を代行処理する代行処理手段と
を備えたことを特徴とする交通誘導システム。
【手続補正２】
【補正対象書類名】明細書
【補正対象項目名】００１１
【補正方法】変更
【補正の内容】
【００１１】
また、本発明は、上記の発明において、前記複数の操作端末は、所定の渋滞情報設定操作を受け付けた場合に、前記工事区間における車両及び歩行者を含む移動体に関する渋滞情報を設定する渋滞情報設定手段と、前記渋滞情報設定手段により設定された渋滞情報を他の操作端末に通知する渋滞情報通知手段とを備えたことを特徴とする。
【手続補正３】
【補正対象書類名】明細書
【補正対象項目名】００２０
【補正方法】変更
【補正の内容】
【００２０】
また、本発明は、上記の発明において、所定の渋滞情報設定操作を受け付けた場合に、前記工事区間における車両及び歩行者を含む移動体に関する渋滞情報を設定する渋滞情報設定手段と、前記渋滞情報設定手段により設定された渋滞情報を他の操作端末に通知する渋滞情報通知手段とを備えたことを特徴とする。
【手続補正４】
【補正対象書類名】明細書
【補正対象項目名】００２２
【補正方法】変更
【補正の内容】
【００２２】
また、本発明は、上記の発明において、所定の渋滞情報設定操作を受け付けた場合に、前記工事区間における車両及び歩行者を含む移動体に関する渋滞情報を設定する渋滞情報設定工程と、前記渋滞情報設定工程により設定された渋滞情報を他の操作端末に通知する渋滞情報通知工程とを含んだことを特徴とする。
また、本発明は、車両が走行する道路の所定の工事区間に設置され、該工事区間を通行する車両の通行権にかかる情報を呈示する工事用信号機と、前記工事区間における交通誘導を行う交通誘導員が所持する操作端末と、管理装置とを通信可能に接続した交通誘導システムであって、前記操作端末は、所定の信号機情報設定操作を受け付けた場合に、前記工事用信号機の信号表示に関する信号機情報を設定する信号機情報設定手段と、前記信号機情報設定手段により設定された信号機情報を前記工事用信号機に対して通知する設定情報通知手段と、所定の代行依頼操作を受け付けた場合に前記管理装置に対して代行依頼を通知する代行依頼通知手段とを備え、前記管理装置は、前記操作端末から代行依頼が通知されると、前記操作端末に代わって前記工事用信号機を代行処理する代行処理手段とを備えたことを特徴とする。
【手続補正５】
【補正対象書類名】明細書
【補正対象項目名】００４５
【補正方法】変更
【補正の内容】
【００４５】
表示制御部１２ｂは、設定データ１４ａに基づいて、表示部１１に対して緑信号、赤信号及びメッセージを表示制御する制御部である。なお、赤信号又は緑信号を切り換える場合には、タイマーが用いられる。
【手続補正６】
【補正対象書類名】明細書
【補正対象項目名】００５６
【補正方法】変更
【補正の内容】
【００５６】
一時許可ボタン４５は、副操作端末３０から工事用信号機１０の一時許可要求を受け付けた場合に、一時的に許可する際に操作されるボタンである。副操作端末３０から工事用信号機１０の一時許可要求を受け付けた場合には、この一時許可ボタン４５が点滅し、点滅した一時許可ボタン４５が押下操作されると一時許可が副操作端末３０に通知される。なお、点滅した一時許可ボタン４５が長押操作されると一時許可を棄却する旨が副操作端末３０に通知される。
【手続補正７】
【補正対象書類名】明細書
【補正対象項目名】００５８
【補正方法】変更
【補正の内容】
【００５８】
代行依頼ボタン４７は、副操作端末３０に代行制御を依頼する場合に操作されるボタンであり、例えば主交通誘導員Ａが事故対応等によって工事用信号機１０の制御を自ら行うことができず、副交通誘導員Ｂによる工事用信号機１０の代行制御を委託する場合に用いられる。復帰ボタン４８は、副操作端末３０による代行制御を終了し、主操作端末２０から工事用信号機１０の制御を行う場合に操作されるボタンである。
【手続補正８】
【補正対象書類名】明細書
【補正対象項目名】００９６
【補正方法】変更
【補正の内容】
【００９６】
復帰処理部６５ｃは、工事現場の主交通誘導員Ａが所持する主操作端末２０から復帰依頼を受け付けた場合に、主操作端末２０に許可応答を行うとともに、代行制御を終了するよう処理する処理部である。なお、その他の機能に関しては、代行制御を行う副操作端末３０と同様のものとなる。